(57)【要約】【課題】複数の画像を容易に読み取ることができる表示端末装置、画像読み取りシステム、画像読み取り方法、画像読み取りプログラムを提供する。【解決手段】電子ペーパ端末１の画像をコピー機で複数取り込む場合、スキャナ光が第１光センサ１１、第２光センサ１２に検出される。それら検出時刻と各センサ間の距離からスキャナヘッドの速度が算出され、第１光センサ１１から表示パネル３に到達するまでの時間が算出される。その到達時間よりも短いパネル書換時間が設定されるので複数の画像を容易に読み取ることができる。【選択図】図１
2010199933.tif 000002
【特許請求の範囲】
【請求項１】
コンテンツ画像を表示する表示面と、
当該表示面を取り囲む表示枠において互いに離間する位置に各々設けられ、スキャナヘッドが発するスキャナ光を検出する第１検出手段及び、当該第１検出手段から前記表示面に向かう方向において、前記第１検出手段よりも前記表示面に近い位置に配置された第２検出手段と、
前記第１検出手段によって前記スキャナ光が検出された後に、前記第２検出手段によって前記スキャナ光が検出された場合に、前記表示面に表示されたコンテンツ画像を次のコンテンツ画像に書き換える書き換え制御手段と
を備えたことを特徴とする表示端末装置。
【請求項２】
前記第１検出手段によって前記スキャナ光が検出された時から、前記第２検出手段によって前記スキャナ光が検出される時までの経過時間を計測する計測手段と、
前記第１検出手段と前記第２検出手段とが離間する第１距離と、前記計測手段によって計測された前記経過時間とに基づいて、前記スキャナヘッドの移動速度を算出する速度算出手段と、
当該速度算出手段によって算出された前記移動速度を記憶する移動速度記憶手段と、
前記第１距離に対して、前記第２検出手段から前記表示面までの第２距離を加算した第３距離と、前記移動速度記憶手段に記憶された前記移動速度とに基づいて、前記第１検出手段から前記表示面に到達するまでの到達時間を算出する到達時間算出手段と、
当該到達時間算出手段によって算出された前記到達時間よりも短い時間を、前記第１検出手段によって前記スキャナ光が検出されてから、前記表示面において次のコンテンツ画像に書き換えるまでの書き換え時間に設定する書き換え時間設定手段と
を備え、
前記書き換え制御手段は、前記書き換え時間設定手段によって設定された前記書き換え時間で、次の前記コンテンツ画像に書き換えることを特徴とする請求項１に記載の表示端末装置。
【請求項３】
前記第１検出手段及び前記第２検出手段は、
前記スキャナヘッドが前記表示枠の外縁から前記表示面に到達するまでの間において各々配置されていることを特徴とする請求項１又は２に記載の表示端末装置。
【請求項４】
前記表示面は、平面視長方形状であって、
前記表示枠は、平面視帯状の上枠部位、下枠部位、右枠部位および左枠部位から構成された平面視長方形状の枠であって、
前記第１検出手段及び前記第２検出手段は、
前記上枠部位、前記下枠部位、前記右枠部位および前記左枠部位の少なくとも何れかの部位に設けられたことを特徴とする請求項３に記載の表示端末装置。
【請求項５】
前記第１検出手段及び前記第２検出手段は、前記上枠部位、前記下枠部位、前記右枠部位、前記左枠部位の各部位に各々設けられ、
前記各部位における前記第２距離を各々記憶する第２距離記憶手段と、
前記各部位に設けられた前記第１検出手段のうち、前記スキャナ光を検出した前記第１検出手段を特定するスキャナ光検出特定手段と、
当該スキャナ光検出特定手段によって特定された前記第１検出手段が設けられた前記部位における前記第２距離を、前記第２距離記憶手段に記憶された前記第２距離から決定する第２距離決定手段と
を備え、
前記到達時間算出手段は、
前記第１距離に、前記第２距離決定手段によって決定された前記第２距離を加算した前記第３距離と、前記移動速度とに基づいて、前記到達時間を算出することを特徴とする請求項４に記載の表示端末装置。
【請求項６】
前記書き換え時間の設定可能時間を記憶する設定可能時間記憶手段を備え、
前記書き換え時間設定手段は、
前記設定可能時間記憶手段に記憶された前記設定可能時間であって、かつ前記到達時間算出手段によって算出された前記到達時間よりも短い時間を、前記書き換え時間に設定することを特徴とする請求項２乃至５の何れかに記載の表示端末装置。
【請求項７】
前記スキャナヘッドによって前記コンテンツ画像を読み取るためのスキャナモードへの移行を指示するスキャナモード移行指示手段を備え、
当該スキャナモード移行指示手段によって前記スキャナモードへの移行を指示された場合に、前記第１検出手段及び前記第２検出手段が駆動することを特徴とする請求項１乃至６の何れかに記載の表示端末装置。
【請求項８】
コンテンツ画像を表示する表示端末装置と、当該表示端末装置に表示された前記コンテンツ画像を読み取って記憶するための画像読取装置とからなる画像読み取りシステムであって、
前記画像読取装置は、
前記コンテンツ画像を読み取るための読み取り面と、
当該読み取り面に沿って移動するスキャナヘッドと、
当該スキャナヘッドの有する発光素子に、前記スキャナヘッドの移動速度に対応させて前記スキャナ光の周波数、又は点滅周期を設定するスキャナ光設定手段と
を備え、
前記表示端末装置は、
前記コンテンツ画像を表示する表示面と、
当該表示面を取り囲む表示枠に設けられ、画像を読み取り可能な画像読取装置の読み取り面に前記表示面を載置して、前記表示面に表示された前記コンテンツ画像が前記画像読取装置のスキャナヘッドによって読み取られる際に、前記読み取り面に沿って移動する前記スキャナヘッドが発するスキャナ光を検出すると共に、前記スキャナ光の周波数、又は点滅周期を検出する第３検出手段と、
前記スキャナヘッドの移動速度を、前記スキャナ光の前記周波数、又は前記点滅周期に対応付けて記憶する移動速度記憶手段と、
前記第３検出手段によって検出された前記スキャナ光の前記周波数、又は前記点滅周期に対応する前記移動速度を、前記移動速度記憶手段に記憶された前記移動速度から決定する移動速度決定手段と、
当該移動速度決定手段によって決定された前記移動速度と、前記第３検出手段から前記表示面までの距離である第４距離とに基づいて、前記第３検出手段から前記表示面に到達するまでの到達時間を算出する到達時間算出手段と、
当該到達時間算出手段によって算出された前記到達時間よりも短い時間を、前記第３検出手段によって前記スキャナ光が検出されてから、前記表示面において次のコンテンツ画像に書き換えるまでの書き換え時間に設定する書き換え時間設定手段と、
当該書き換え時間設定手段によって設定された前記書き換え時間で、次の前記コンテンツ画像に書き換える書き換え制御手段と
を備えたことを特徴とする画像読み取りシステム。
【請求項９】
コンテンツ画像を表示する表示端末装置の表示面を、画像を読み取り可能な画像読取装置の読み取り面に載置して、前記表示面に表示された前記コンテンツ画像を前記画像読取装置のスキャナヘッドによって読み取るための画像読み取り方法であって、
前記表示面を取り囲む表示枠において互いに離間する位置に各々設けられた第１検出手段及び、当該第１検出手段から前記表示面に向かう方向において、前記第１検出手段よりも前記表示面に近い位置に設けられた第２検出手段によって、前記読み取り面に沿って移動する前記スキャナヘッドが発するスキャナ光をそれぞれの位置で検出するスキャナ光検出ステップと、
当該スキャナ光検出ステップにおいて、前記第１検出手段によって前記スキャナ光が検出された時から、前記第２検出手段によって前記スキャナ光が検出される時までの経過時間を計測する計測ステップと、
前記第１検出手段と前記第２検出手段とが離間する第１距離と、前記計測ステップにおいて計測された前記経過時間とに基づいて、前記スキャンヘッドの移動速度を算出する速度算出ステップと、
当該速度算出ステップにおいて算出された前記移動速度を移動速度記憶手段に記憶する移動速度記憶ステップと、
前記第１距離に対して、前記第２検出手段から前記表示面までの第２距離を加算した第３距離と、前記移動速度記憶ステップにおいて記憶された前記移動速度とに基づいて、前記第１検出手段から前記表示面に到達するまでの到達時間を算出する到達時間算出ステップと、
当該到達時間算出ステップにおいて算出された前記到達時間よりも短い時間を、前記第１検出手段によって前記スキャナ光が検出されてから、前記表示面において次のコンテンツ画像に書き換えるまでの書き換え時間に設定する書き換え時間設定ステップと、
当該書き換え時間設定ステップにおいて設定された前記書き換え時間で、次の前記コンテンツ画像に書き換える書き換え制御ステップと
を備えたことを特徴とする画像読み取り方法。
【請求項１０】
請求項１乃至７の何れかに記載の表示端末装置の各種処理手段としてコンピュータを機能させることを特徴とする画像読み取りプログラム。
【発明の詳細な説明】
【技術分野】
【０００１】
本発明は、表示した画像をスキャナで読み取らせることができる表示端末装置、画像読み取りシステム、画像読み取り方法、画像読み取りプログラムに関する。
【背景技術】
【０００２】
従来、電子ペーパなどの携帯性に優れた表示端末が普及している。ところが、表示端末が携帯性に優れているとはいえ、紙と比較して重量は重い。そのため、表示端末のデータの一部だけを持ち運びたい場合には、表示端末の表示データを紙に印刷することになる。例えば、表示端末に表示されている画像をコピー機を用いて複写するという方法がある。この場合、表示端末の表示部をコピー機のスキャナ部分の原稿台に載せ、コピーボタンを押すことで表示部に表示されている画像が読み取られて複写される。例えば、環境センサと、コンテンツに付随させた複製の許諾可否に関する利用権情報とに基づき、表示手段に表示されるコンテンツの可読／非可読状態を制御できる表示装置が提案されている（例えば、特許文献１参照）。この表示装置では、光学的手段、特にスキャナを用いたコンテンツの不当な複製を防止できる。
【先行技術文献】
【特許文献】
【０００３】
【特許文献１】特開２００７−７９８７１号公報
【発明の概要】
【発明が解決しようとする課題】
【０００４】
しかしながら、上述の方法で、表示端末の表示部に表示された複数の画像をコピー機のスキャナで連続して読み取る場合、画像毎に電子ペーパの画像を更新するための操作が必要となり、操作が煩わしいという問題点があった。また、更新するタイミングを誤ると、画像が正確に読み取られなかったり、意図しない画像が読み取られてしまう等の問題点もあった。
【０００５】
本発明は、上記課題を解決するためになされたものであり、複数の画像を容易に読み取ることができる表示端末装置、画像読み取りシステム、画像読み取り方法、画像読み取りプログラムを提供することを目的とする。
【課題を解決するための手段】
【０００６】
上記目的を達成するために、請求項１に係る発明の表示端末装置は、コンテンツ画像を表示する表示面と、当該表示面を取り囲む表示枠において互いに離間する位置に各々設けられ、スキャナヘッドが発するスキャナ光を検出する第１検出手段及び、当該第１検出手段から前記表示面に向かう方向において、前記第１検出手段よりも前記表示面に近い位置に配置された第２検出手段と、前記第１検出手段によって前記スキャナ光が検出された後に、前記第２検出手段によって前記スキャナ光が検出された場合に、前記表示面に表示されたコンテンツ画像を次のコンテンツ画像に書き換える書き換え制御手段とを備えている。
【０００７】
また、請求項２に係る発明の表示端末装置は、請求項１に記載の発明の構成に加え、前記第１検出手段によって前記スキャナ光が検出された時から、前記第２検出手段によって前記スキャナ光が検出される時までの経過時間を計測する計測手段と、前記第１検出手段と前記第２検出手段とが離間する第１距離と、前記計測手段によって計測された前記経過時間とに基づいて、前記スキャナヘッドの移動速度を算出する速度算出手段と、当該速度算出手段によって算出された前記移動速度を記憶する移動速度記憶手段と、前記第１距離に対して、前記第２検出手段から前記表示面までの第２距離を加算した第３距離と、前記移動速度記憶手段に記憶された前記移動速度とに基づいて、前記第１検出手段から前記表示面に到達するまでの到達時間を算出する到達時間算出手段と、当該到達時間算出手段によって算出された前記到達時間よりも短い時間を、前記第１検出手段によって前記スキャナ光が検出されてから、前記表示面において次のコンテンツ画像に書き換えるまでの書き換え時間に設定する書き換え時間設定手段とを備え、前記書き換え制御手段は、前記書き換え時間設定手段によって設定された前記書き換え時間で、次の前記コンテンツ画像に書き換えることを特徴とする。
【０００８】
また、請求項３に係る発明の表示端末装置は、請求項１又は２に記載の発明の構成に加え、前記第１検出手段及び前記第２検出手段は、前記スキャナヘッドが前記表示枠の外縁から前記表示面に到達するまでの間において各々配置されている。
【０００９】
また、請求項４に係る発明の表示端末装置は、請求項３に記載の発明の構成に加え、前記表示面は、平面視長方形状であって、前記表示枠は、平面視帯状の上枠部位、下枠部位、右枠部位および左枠部位から構成された平面視長方形状の枠であって、前記第１検出手段及び前記第２検出手段は、前記上枠部位、前記下枠部位、前記右枠部位および前記左枠部位の少なくとも何れかの部位に設けられている。
【００１０】
また、請求項５に係る発明の表示端末装置は、請求項４に記載の発明の構成に加え、前記第１検出手段及び前記第２検出手段は、前記上枠部位、前記下枠部位、前記右枠部位、前記左枠部位の各部位に各々設けられ、前記各部位における前記第２距離を各々記憶する第２距離記憶手段と、前記各部位に設けられた前記第１検出手段のうち、前記スキャナ光を検出した前記第１検出手段を特定するスキャナ光検出特定手段と、当該スキャナ光検出特定手段によって特定された前記第１検出手段が設けられた前記部位における前記第２距離を、前記第２距離記憶手段に記憶された前記第２距離から決定する第２距離決定手段とを備え、前記到達時間算出手段は、前記第１距離に、前記第２距離決定手段によって決定された前記第２距離を加算した前記第３距離と、前記移動速度とに基づいて、前記到達時間を算出することを特徴とする。
【００１１】
また、請求項６に係る発明の表示端末装置は、請求項２乃至５の何れかに記載の発明の構成に加え、前記書き換え時間の設定可能時間を記憶する設定可能時間記憶手段を備え、前記書き換え時間設定手段は、前記設定可能時間記憶手段に記憶された前記設定可能時間であって、かつ前記到達時間算出手段によって算出された前記到達時間よりも短い時間を、前記書き換え時間に設定することを特徴とする。
【００１２】
また、請求項７に係る発明の表示端末装置は、請求項１乃至６の何れかに記載の発明の構成に加え、前記スキャナヘッドによって前記コンテンツ画像を読み取るためのスキャナモードへの移行を指示するスキャナモード移行指示手段を備え、当該スキャナモード移行指示手段によって前記スキャナモードへの移行を指示された場合に、前記第１検出手段及び前記第２検出手段が駆動することを特徴とする。
【００１３】
また、請求項８に係る発明の画像読み取りシステムは、コンテンツ画像を表示する表示端末装置と、当該表示端末装置に表示された前記コンテンツ画像を読み取って記憶するための画像読取装置とからなる画像読み取りシステムであって、前記画像読取装置は、前記コンテンツ画像を読み取るための読み取り面と、当該読み取り面に沿って移動するスキャナヘッドと、当該スキャナヘッドの有する発光素子に、前記スキャナヘッドの移動速度に対応させて前記スキャナ光の周波数、又は点滅周期を設定するスキャナ光設定手段とを備え、前記表示端末装置は、前記コンテンツ画像を表示する表示面と、当該表示面を取り囲む表示枠に設けられ、画像を読み取り可能な画像読取装置の読み取り面に前記表示面を載置して、前記表示面に表示された前記コンテンツ画像が前記画像読取装置のスキャナヘッドによって読み取られる際に、前記読み取り面に沿って移動する前記スキャナヘッドが発するスキャナ光を検出すると共に、前記スキャナ光の周波数、又は点滅周期を検出する第３検出手段と、前記スキャナヘッドの移動速度を、前記スキャナ光の前記周波数、又は前記点滅周期に対応付けて記憶する移動速度記憶手段と、前記第３検出手段によって検出された前記スキャナ光の前記周波数、又は前記点滅周期に対応する前記移動速度を、前記移動速度記憶手段に記憶された前記移動速度から決定する移動速度決定手段と、当該移動速度決定手段によって決定された前記移動速度と、前記第３検出手段から前記表示面までの距離である第４距離とに基づいて、前記第３検出手段から前記表示面に到達するまでの到達時間を算出する到達時間算出手段と、当該到達時間算出手段によって算出された前記到達時間よりも短い時間を、前記第３検出手段によって前記スキャナ光が検出されてから、前記表示面において次のコンテンツ画像に書き換えるまでの書き換え時間に設定する書き換え時間設定手段と、当該書き換え時間設定手段によって設定された前記書き換え時間で、次の前記コンテンツ画像に書き換える書き換え制御手段とを備えている。
【００１４】
また、請求項９に係る発明の画像読み取り方法は、コンテンツ画像を表示する表示端末装置の表示面を、画像を読み取り可能な画像読取装置の読み取り面に載置して、前記表示面に表示された前記コンテンツ画像を前記画像読取装置のスキャナヘッドによって読み取るための画像読み取り方法であって、前記表示面を取り囲む表示枠において互いに離間する位置に各々設けられた第１検出手段及び、当該第１検出手段から前記表示面に向かう方向において、前記第１検出手段よりも前記表示面に近い位置に設けられた第２検出手段によって、前記読み取り面に沿って移動する前記スキャナヘッドが発するスキャナ光をそれぞれの位置で検出するスキャナ光検出ステップと、当該スキャナ光検出ステップにおいて、前記第１検出手段によって前記スキャナ光が検出された時から、前記第２検出手段によって前記スキャナ光が検出される時までの経過時間を計測する計測ステップと、前記第１検出手段と前記第２検出手段とが離間する第１距離と、前記計測ステップにおいて計測された前記経過時間とに基づいて、前記スキャンヘッドの移動速度を算出する速度算出ステップと、当該速度算出ステップにおいて算出された前記移動速度を移動速度記憶手段に記憶する移動速度記憶ステップと、前記第１距離に対して、前記第２検出手段から前記表示面までの第２距離を加算した第３距離と、前記移動速度記憶ステップにおいて記憶された前記移動速度とに基づいて、前記第１検出手段から前記表示面に到達するまでの到達時間を算出する到達時間算出ステップと、当該到達時間算出ステップにおいて算出された前記到達時間よりも短い時間を、前記第１検出手段によって前記スキャナ光が検出されてから、前記表示面において次のコンテンツ画像に書き換えるまでの書き換え時間に設定する書き換え時間設定ステップと、当該書き換え時間設定ステップにおいて設定された前記書き換え時間で、次の前記コンテンツ画像に書き換える書き換え制御ステップとを備えている。
【００１５】
また、請求項１０に係る発明の画像読み取りプログラムは、請求項１乃至７の何れかに記載の表示端末装置の各種処理手段としてコンピュータを機能させることを特徴とする。
【発明の効果】
【００１６】
請求項１に係る発明の表示端末装置では、コンテンツ画像を表示した表示面をスキャナヘッドで所定方向に走査する。表示枠には、スキャナ光を検出する第１検出手段および第２検出手段が設けられている。第２検出手段は、第１検出手段から表示面に向かう方向において、第１検出手段よりも表示面に近い位置に配置されている。従って、スキャナヘッドが画像を読み取るために走査を開始すると、まず、第１検出手段によってスキャナ光をが検出され、その後で、第２検出手段によってスキャナ光が検出される。そして、第２検出手段によってスキャナ光が検出された場合に、書き換え制御手段が、表示面に表示されたコンテンツ画像を次のコンテンツ画像に書き換える。これにより、コンテンツ画像が読み取られている際中に、コンテンツ画像が書き換えられるのを防止できる。さらに、第１検出手段、第２検出手段の順に何れもスキャナ光が検出された場合に、書き換え制御手段は、表示画面に表示されたコンテンツ画像を書き換えるので、コンテンツ画像を更新するための操作が不要となるので、複数のコンテンツ画像を正確かつ容易に読み取ることができる。また、スキャナヘッドが走査を終えて元の位置に戻る際のスキャナ光を検出した場合にコンテンツ画像を書き換えてしまうのを防止できる。
【００１７】
また、請求項２に係る発明の表示端末装置では、請求項１に記載の発明の効果に加え、第１検出手段によってスキャナ光が検出された時から、第２検出手段によってスキャナ光が検出される時までの経過時間を計測手段が計測する。次いで、第１検出手段と第２検出手段とが離間する第１距離と、計測手段によって計測された経過時間とに基づき、速度算出手段がスキャナヘッドの移動速度を算出する。算出された移動速度は移動速度記憶手段に記憶される。さらに、第１距離に対して、第２検出手段から表示面までの第２距離を加算した第３距離と、移動速度記憶手段に記憶された移動速度とに基づき、到達時間算出手段が第１検出手段から表示面に到達するまでの到達時間を算出する。そして、書き換え時間設定手段は、算出された前記到達時間よりも短い時間を、第１検出手段によってスキャナ光が検出されてから、表示面において次のコンテンツ画像に書き換えるまでの書き換え時間に設定する。書き換え制御手段は、設定された書き換え時間で、次のコンテンツ画像に書き換える。これにより、コンテンツ画像を更新するための操作が不要となるので、複数のコンテンツ画像を正確かつ容易に読み取ることができる。また、コンテンツ画像が読み取られている際中に、コンテンツ画像が書き換えられるのを確実に防止できる。
【００１８】
また、請求項３に係る発明の表示端末装置では、請求項１又は２に記載の発明の効果に加え、第１検出手段及び第２検出手段は、スキャナヘッドが表示枠の外縁から表示面に到達するまでの間において各々配置されている。これにより、スキャナヘッドが表示枠の外縁から表示面に到達するまでの間で、第１検出手段および第２検出手段の両方においてスキャナ光を検出できる。
【００１９】
また、請求項４に係る発明の表示端末装置では、請求項３に記載の発明の効果に加え、表示面は平面視長方形状である。表示枠は、平面視帯状の上枠部位、下枠部位、右枠部位および左枠部位から構成された平面視長方形状の枠である。第１検出手段及び第２検出手段は、表示枠の上枠部位、下枠部位、右枠部位および左枠部位の少なくとも何れかの部位に設けられている。従って、上枠部位に第１検出手段及び第２検出手段が設けられている場合は、表示面を上から下へ移動するスキャナヘッドのスキャナ光を検出できる。下枠部位に第１検出手段及び第２検出手段が設けられている場合は、表示面を下から上へ移動するスキャナヘッドのスキャナ光を検出できる。右枠部位に第１検出手段及び第２検出手段が設けられている場合は、表示面を右から左へ移動するスキャナヘッドのスキャナ光を検出できる。左枠部位に第１検出手段及び第２検出手段が設けられている場合は、表示面を左から右へ移動するスキャナヘッドのスキャナ光を検出できる。
【００２０】
また、請求項５に係る発明の表示端末装置では、請求項４に記載の発明の効果に加え、第１検出手段及び第２検出手段は、表示枠の全部位に各々設けられている。第２距離記憶手段には、各部位における第２距離が記憶されている。このような構成で、スキャナ光検出特定手段は、各部位に設けられた第１検出手段のうち、スキャナ光を検出した第１検出手段を特定する。ここで、スキャナ光検出特定手段によって特定された第１検出手段がある部位側からスキャナヘッドが走査することがわかる。そこで、第２距離決定手段は、特定された第１検出手段が設けられた部位における第２距離を、第２距離記憶手段に記憶された第２距離から決定する。そして、到達時間算出手段は、第１距離に、第２距離決定手段によって決定された第２距離を加算した第３距離と、移動速度とに基づいて到達時間を算出する。これにより、スキャナヘッドの表示面に対する走査方向が変わっても、その走査方向を特定しつつ、特定された方向において到達時間を算出できる。
【００２１】
また、請求項６に係る発明の表示端末装置では、請求項２乃至５の何れかに記載の発明の効果に加え、設定可能時間記憶手段には、書き換え時間の設定可能時間が記憶されている。書き換え時間設定手段は、設定可能時間記憶手段に記憶された設定可能時間であって、かつ到達時間算出手段によって算出された到達時間よりも短い時間を書き換え時間に設定する。これにより、コンテンツ画像が読み取られている際中に、コンテンツ画像が書き換えられるのを確実に防止できる。
【００２２】
また、請求項７に係る発明の表示端末装置では、請求項１乃至６の何れかに記載の発明の効果に加え、スキャナモード移行指示手段は、スキャナヘッドによってコンテンツ画像を読み取るためのスキャナモードへの移行を指示する。スキャナモード移行指示手段によってスキャナモードへの移行を指示された場合に、第１検出手段及び第２検出手段が駆動する。これにより、ユーザが複数のコンテンツ画像を連続して読み取ろうとした場合に、スキャナモード移行指示手段によってスキャナモードに移行された場合に限って、書き換え制御手段によるコンテンツ画像の書き換えを行うことができる。よって、画像が勝手に書き換えられるのを防止できる。
【００２３】
また、請求項８に係る発明の画像読み取りシステムでは、コンテンツ画像を表示する表示端末装置と、そのコンテンツ画像を読み取って記憶するための画像読取装置とを備えている。画像読取装置の読み取り面に、表示端末装置の表示面を載置した状態で、読み取り面に表示されたコンテンツ画像がスキャナヘッドによって所定方向に読み取られる。スキャナヘッドの有する発光素子には、スキャナ光設定手段によって、スキャナヘッドの移動速度に対応させてスキャナ光の周波数、点滅周期が設定されている。表示端末装置では、第３検出手段によって、スキャナヘッドによってが読み取り面に沿って移動する際に、スキャナヘッドが発するスキャナ光が検出されると共に、スキャナ光の周波数、又は点滅周期が検出される。移動速度記憶手段には、スキャナヘッドの移動速度が、スキャナ光の周波数、又は点滅周期に対応付けて記憶されている。そして、移動速度決定手段は、第３検出手段によって検出されたスキャナ光の周波数、又は点滅周期に対応する移動速度を、移動速度記憶手段に記憶された移動速度から決定する。次いで、到達時間算出手段は、移動速度決定手段によって決定された移動速度と、第３検出手段から表示面までの距離である第４距離とに基づき、第３検出手段から表示面に到達するまでの到達時間を算出する。さらに、書き換え時間設定手段は、到達時間算出手段によって算出された到達時間よりも短い時間を、第３検出手段によってスキャナ光が検出されてから、表示面において次のコンテンツ画像に書き換えるまでの書き換え時間に設定する。そして、書き換え制御手段が、書き換え時間設定手段によって設定された書き換え時間で、次のコンテンツ画像に書き換える。このように、画像読取装置側で、スキャナヘッドの移動速度に対応させてスキャナ光の周波数、点滅周期を設定しておき、表示端末装置側で、第３検出手段によってそのスキャナ光の周波数、点滅周期が検出され、その移動速度が決定される。従って、１コの検出手段であっても、スキャナヘッドの移動速度を特定できるのでコストを節約できる。また、移動速度に対応させてスキャナ光の周波数や、点滅周期を設定するので、表示端末装置側に対してスキャナヘッドの移動速度を確実に伝達できる。
【００２４】
また、請求項９に係る発明の画像読み取り方法では、まず、スキャナ光検出ステップでは、表示面を取り囲む表示枠において互いに離間する位置に各々設けられた第１検出手段及び、当該第１検出手段よりも表示面に近い位置に設けられた第２検出手段によって、読み取り面に沿って移動するスキャナヘッドが発するスキャナ光がそれぞれの位置で検出される。次いで、計測ステップでは、スキャナ光検出ステップにおいて、第１検出手段によってスキャナ光が検出された時から、第２検出手段によってスキャナ光が検出される時までの経過時間が計測される。続いて、速度算出ステップでは、第１検出手段と第２検出手段とが離間する第１距離と、計測ステップにおいて計測された経過時間とに基づいて、スキャンヘッドの移動速度が算出される。速度記憶ステップでは、速度算出ステップにおいて算出された移動速度が移動速度記憶手段に記憶される。さらに、到達時間算出ステップでは、第１距離に対して、第２検出手段から表示面までの第２距離を加算した第３距離と、移動速度記憶ステップにおいて記憶された移動速度とに基づいて、第１検出手段から前記表示面に到達するまでの到達時間が算出される。次いで、書き換え時間設定ステップでは、到達時間算出ステップにおいて算出された到達時間よりも短い時間が、第１検出手段によってスキャナ光が検出されてから、表示面において次のコンテンツ画像に書き換えるまでの書き換え時間に設定される。そして、書き換え制御ステップでは、書き換え時間設定ステップにおいて設定された書き換え時間で、次のコンテンツ画像に書き換えられる。これにより、コンテンツ画像を更新するための操作が不要となるので、複数のコンテンツ画像を正確かつ容易に読み取ることができる。また、コンテンツ画像が読み取られている際中に、コンテンツ画像が書き換えられるのを確実に防止できる。
【００２５】
また、請求項１０に係る発明の画像読み取りプログラムでは、請求項１乃至７の何れかに記載の表示端末装置の各種処理手段としてコンピュータを機能させることによって、請求項１乃至７の何れかに記載の発明の効果を得ることができる。
【図面の簡単な説明】
【００２６】
【図１】電子ペーパ端末１の斜視図である。
【図２】電子ペーパ端末１の平面図である。
【図３】電子ペーパ端末１の電気的構成を示すブロック図である。
【図４】ＲＡＭ１０３の各種記憶エリアを示す概念図である。
【図５】ＥＥＰＲＯＭ１０４の各種記憶エリアを概念図である。
【図６】第１距離テーブル２１１１の概念図である。
【図７】第２距離テーブル２１２１の概念図である。
【図８】設定時間テーブル２１３１の概念図である。
【図９】コピー機２の原稿台２０２に電子ペーパ端末１を載置した状態を示す斜視図である。
【図１０】原稿台２０２に載置された電子ペーパ端末１の画像をスキャナヘッド２０４で走査する態様を示す図である。
【図１１】原稿台２０２に電子ペーパ端末１を載置した状態の平面図である。
【図１２】電子ペーパ端末１における画像読み取り処理のフローチャートである。
【図１３】図１２の続きを示すフローチャートである。
【図１４】図１２の続きを示すフローチャートである。
【図１５】画像読み取りシステム５００において、コピー機２の原稿台２０２に電子ペーパ端末４００を載置した状態を示す斜視図（第２実施形態）である。
【図１６】電子ペーパ端末４００の平面図である。
【図１７】電子ペーパ端末４００の電気的構成を示すブロック図である。
【図１８】コピー機２の電気的構成を示すブロック図である。
【図１９】電子ペーパ端末４００における画像読取処理のフローチャートである。
【図２０】コピー機２における画像読取処理のフローチャートである。
【図２１】電子ペーパ端末６００の平面図である。
【発明を実施するための形態】
【００２７】
以下、本発明の第１実施形態である電子ペーパ端末１について、図面を参照して説明する。これらの図面は、本発明が採用しうる技術的特徴を説明するために用いられるものである。記載されている装置の構成、各種処理のフローチャート等は、それのみに限定する趣旨ではなく、単なる説明例である。図１に示す電子ペーパ端末１が本発明の「表示端末装置」に相当する。
【００２８】
なお、第１実施形態では、図９に示すように、電子ペーパ端末１の画像をコピー機２で複数ページ複写する場合を想定する。この場合、コピー機２の圧版２０１を開いてスキャナ部分の原稿台２０２に電子ペーパ端末１の表示パネル３（図１参照）が下になるように設置し、スタートボタン２０３を押す。すると、表示パネル３に表示されたコンテンツ画像がコピー機２のスキャナヘッド２０４（図９参照）に読み取られ、紙等の記録媒体に複写される。本実施形態は、電子ペーパ端末１の画像を複数ページ取り込む場合に、コピー機２のスキャナヘッド２０４の走査に合わせて、画像をタイミングよく書き換えることができる点に特徴がある。
【００２９】
まず、電子ペーパ端末１の構造について、図１，図２を参照して説明する。電子ペーパ端末１は、反射型液晶等の表示デバイスからなる表示装置である。表示装置としては、反射型液晶の他、電気泳動方式による電子ペーパ等が適用可能である。基本原理は、プラスに帯電した白の粒子とマイナスに帯電した黒の粒子が電気泳動によって表示液中を移動することで白黒が表示される。
【００３０】
電子ペーパ端末１は、所定厚を有する平面視長方形状の板状に形成されている。その上面には、平面視長方形状の表示パネル３が形成されている。表示パネル３には、テキスト、図表、画像等から構成される種々のコンテンツ画像が表示される。コンテンツ画像は、外部記録媒体４に記録されている。外部記録媒体４としては、例えば、フレキシブルディスク、光ディスク、メモリカード等である。なお、コンテンツ画像は、後述するＲＯＭ１０２、ＲＡＭ１０３、ＥＥＰＲＯＭ１０４（図３参照）等に記録されていてもよい。
【００３１】
電子ペーパ端末１の前面の右側には、その外部記録媒体４を挿入するための記録媒体挿入口２０（図１参照）が設けられている。記録媒体挿入口２０の奥には、後述する記録媒体読込部１１２（図３参照）が設けられている。記録媒体挿入口２０に外部記録媒体４を挿入すると、外部記録媒体４に記憶されたコンテンツ情報が記録媒体読込部１１２に読み込まれ、そのコンテンツ情報に対応するコンテンツ画像が表示パネル３に表示される。
【００３２】
表示パネル３の周囲には平面視長方形状の表示枠５が形成されている。表示枠５は、平面視帯状の下枠部位５１、右枠部位５２、左枠部位５３および上枠部位５４からなる。下枠部位５１は、右枠部位５２、左枠部位５３および上枠部位５４よりも幅広に形成されている。その下枠部位５１の幅方向略中央には、電子ペーパ端末１を操作するための操作部１０８が設けられている。操作部１０８は、多機能ボタン６、その右側に設けられた送りボタン７、左側に設けられた戻しボタン８からなる。多機能ボタン６は、メニュー選択、コンテンツ画像の選択、決定、画像・画質の調整等を行うためのボタンである。送りボタン７は、表示パネル３に表示された画像のページを送るためのボタンである。戻しボタンは画像のページを戻すためのボタンである。
【００３３】
表示枠５には、コピー機２のスキャナヘッド２０４が発するスキャナ光を検出するための８つの光センサ１１〜１８が設けられている。具体的には、表示枠５を構成する４つの枠部位５１〜５４に、それぞれ１対の第１，第２光センサが設けられている。第１光センサは、表示枠５の幅方向の外側に配置されるセンサである。第２光センサは、表示枠５の幅方向の内側に配置されるセンサである。これら光センサは一般的なフォトセンサである。
【００３４】
さらに具体的に説明すると、下枠部位５１には、第１光センサ１１および第２光センサ１２が各々設けられている。右枠部位５２には、第１光センサ１３および第２光センサ１４が各々設けられている。左枠部位５３には、第１光センサ１５および第２光センサ１６が各々設けられている。上枠部位５４には、第１光センサ１７および第２光センサ１８が各々設けられている。
【００３５】
第１光センサ１１，１７および第２光センサ１２，１８は、下枠部位５１および上枠部位５４において上下方向に互いに離間して配置されている。第１光センサ１３，１５および第２光センサ１４，１６は、右枠部位５２および左枠部位５３において左右方向に互いに離間して配置されている。このことは、電子ペーパ端末１をコピー機２の原稿台２０２に載置した場合に、第１光センサおよび第２光センサの離間する方向が、コピー機２のスキャナヘッド２０４（図１０参照）の走査方向に対して平行になるようになっている。
【００３６】
次に、表示枠５の上面において規定される第１距離ｄ１、第２距離ｄ２について、図２を参照して説明する。第１距離ｄ１、第２距離ｄ２は、スキャナヘッド２０４（図１０参照）の速度ｖを算出するために規定されるパラメータである。表示枠５の下枠部位５１の上面において、第１光センサ１１から第２光センサ１２までの距離を「第１距離ｄ１」とする。第２光センサ１２から表示パネル３までの距離を「第２距離ｄ２」とする。なお、図示しないが、第１距離ｄ１、第２距離ｄ２は、下枠部位５１のみならず、右枠部位５２、左枠部位５３、上枠部位５４においてもそれぞれ同様に規定されている。つまり、第１距離ｄ１、第２距離ｄ２は、各枠部位においてそれぞれ固有の距離でそれぞれ規定されている。これら規定値は、後述するＥＥＰＲＯＭ１０４に記憶されている。
【００３７】
次に、上記構成からなる電子ペーパ端末１の電気的構成について、図３を参照して説明する。電子ペーパ端末１は、電子ペーパ端末１の全体の制御を司るＣＰＵ１０１を備えている。ＣＰＵ１０１には、ＲＯＭ１０２、ＲＡＭ１０３、ＥＥＰＲＯＭ１０４、表示制御部１０５、操作制御部１０７、計時装置１１１、記録媒体読込部１１２等が、バス１１５を介して接続されている。ＣＰＵ１０１には、さらに、第１光センサ１１，１３，１５，１７、第２光センサ１２，１４，１６，１８がバス１１５を介して接続されている。
【００３８】
ＲＯＭ１０２には、ＣＰＵ１０１が実行する画像の表示に関わるメインの画像表示プログラムや、複数のコンテンツ画像をコピー機２で読み取らせる場合に実行する本発明の「画像読み取りプログラム」等の各種プログラムが記憶されている。ＲＡＭ１０３には、後述する各種データが一時的に記憶される。
【００３９】
ＥＥＰＲＯＭ１０４には、後述する各種データが記憶されている。表示制御部１０５には、表示パネル３が接続されている。表示制御部１０５は、表示パネル３における画像表示を制御する。操作制御部１０７には、操作部１０８が接続されている。操作制御部１０７は、操作部１０８を構成する多機能ボタン６、送りボタン７、戻しボタン８による入力の検知を行う。計時装置１１１では、各種時間が計測される。
【００４０】
次に、ＲＡＭ１０３の各種記憶エリアについて、図４を参照して説明する。ＲＡＭ１０３には、速度記憶エリア１３１、到達時間記憶エリア１３２、パネル書換時間記憶エリア１３３、読取枚数記憶エリア１３４、スキャナ光検出時刻記憶エリア１３５、走査方向記憶エリア１３６等が各々設けられている。
【００４１】
速度記憶エリア１３１には、後述する所定の算出方法で算出されたスキャナヘッド２０４（図１０参照）の速度ｖが記憶される。到達時間記憶エリア１３２には、第１光センサから表示パネル３までの到達時間Ｔ２が記憶される。パネル書換時間記憶エリア１３３には、後述する所定の決定方法で決定されたパネル書換時間が記憶される。読取枚数記憶エリア１３４には、コピー機２のスキャナに読み取らせた枚数が記憶される。スキャナ光検出時刻記憶エリア１３５には、第１光センサおよび第２光センサによってスキャナ光を検出した時刻ｔ１，ｔ２が各々記憶される。走査方向記憶エリア１３６には、表示パネル３に対するスキャナヘッド２０４の走査方向が記憶される。
【００４２】
次に、ＥＥＰＲＯＭ１０４の各種記憶エリアについて、図５を参照して説明する。ＥＥＰＲＯＭ１０４には、第１距離テーブル記憶エリア２１１、第２距離テーブル記憶エリア２１２、設定時間テーブル記憶エリア２１３等が各々設けられている。第１距離テーブル記憶エリア２１１には、第１距離テーブル２１１１（図６参照）が記憶されている。第２距離テーブル記憶エリア２１２には、第２距離テーブル２１２１（図７参照）が記憶されている。設定時間テーブル記憶エリア２１３には、設定時間テーブル２１３１（図８参照）が記憶されている。
【００４３】
次に、第１距離テーブル２１１１について、図６を参照して説明する。第１距離テーブル２１１１は、第１光センサから第２光センサまでの第１距離ｄ１を、下枠部位５１、右枠部位５２、左枠部位５３、上枠部位５４ごとに記憶している。第１距離テーブル２１１１には、センサＩＤ欄２５１と、距離欄２５２とが対応付けられて設けられている。
【００４４】
センサＩＤ欄２５１には、センサＩＤ１〜４が記憶されている。センサＩＤ１は、上枠部位５４に設けられた第１光センサ１７を識別するために付されたＩＤである。センサＩＤ２は、下枠部位５１に設けられた第１光センサ１１を識別するために付された識別ＩＤである。センサＩＤ３は、右枠部位５２に設けられた第１光センサ１３を識別するために付された識別ＩＤである。センサＩＤ４は、左枠部位５３に設けられた第１光センサ１５を識別するために付された識別ＩＤである。
【００４５】
距離欄２５２には、センサＩＤに対応する第１距離ｄ１が各々記憶されている。センサＩＤ１に対して、上枠部位５４における第１光センサ１７から第２光センサ１８までの第１距離ｄ１が記憶されている。センサＩＤ２に対して、下枠部位５１における第１光センサ１１から第２光センサ１２までの第１距離ｄ１が記憶されている。センサＩＤ３に対して、右枠部位５２における第１光センサ１３から第２光センサ１４までの第１距離ｄ１が記憶されている。センサＩＤ４に対して、左枠部位５３における第１光センサ１５から第２光センサ１６までの第１距離ｄ１が記憶されている。
【００４６】
次に、第２距離テーブル２１２１について、図７を参照して説明する。第２距離テーブル２１２１は、第２光センサから表示パネル３までの第２距離ｄ２を、下枠部位５１、右枠部位５２、左枠部位５３、上枠部位５４ごとに記憶している。第２距離テーブル２１２１には、センサＩＤ欄２６１と、距離欄２６２とが対応付けられて設けられている。
【００４７】
センサＩＤ欄２６１には、センサＩＤ１〜４が記憶されている。センサＩＤ１は、第２光センサ１８に付された識別ＩＤである。センサＩＤ２は、第２光センサ１２に付された識別ＩＤである。センサＩＤ３は、第２光センサ１４に付された識別ＩＤである。センサＩＤ４は、第２光センサ１８に付された識別ＩＤである。
【００４８】
距離欄２６２には、センサＩＤに対応して第２距離ｄ２が各々記憶されている。センサＩＤ１に対して、上枠部位５４における第２光センサ１８から表示パネル３までの第２距離ｄ２が記憶されている。センサＩＤ２に対して、下枠部位５１における第２光センサ１２から表示パネル３までの第２距離ｄ２が記憶されている。センサＩＤ３に対して、右枠部位５２における第２光センサ１４から表示パネル３までの第２距離ｄ２が記憶されている。センサＩＤ４に対して、左枠部位５３における第２光センサ１６から表示パネル３までの第２距離ｄ２が記憶されている。
【００４９】
次に、設定時間テーブル２１３１について、図８を参照して説明する。設定時間テーブル２１３１は、電子ペーパ端末１で設定可能なパネル書換時間を「設定時間」として記憶している。設定時間テーブル２１３１には、設定時間ＩＤ欄２７１と、設定時間欄２７２とが対応付けられて設けられている。
【００５０】
設定時間ＩＤ欄２７１には、設定時間ＩＤ１〜４が記憶されている。設定時間欄２７２には、設定時間ＩＤ１〜４に対して、表示パネル３に表示された画像を書き換えるための設定時間が記憶されている。例えば、設定時間ＩＤ１には１０秒、設定時間ＩＤ２には５秒、設定時間ＩＤ３には１秒、設定時間ＩＤ４には１秒、設定時間ＩＤ５には０．５秒が記憶されている。
【００５１】
次に、電子ペーパ端末１の画像をコピー機２で複数ページ取り込む手順について、図９乃至図１１を参照して説明する。図９に示すように、コピー機２の圧版２０１を開いてスキャナの原稿台２０２に電子ペーパ端末１の表示パネル３（図１参照）が下になるように設置する。つまり、電子ペーパ端末１の表示パネル３を原稿台２０２に密着させるように電子ペーパ端末１を原稿台２０２載置する。そして、圧版２０１を閉じ、電子ペーパ端末１の表示パネル３を原稿台２０２に密着させる。この状態で、スタートボタン２０３を押す。これにより、図１０に示すように、コピー機２のスキャナヘッド２０４が走査を開始し、表示パネル３に表示されたコンテンツ画像がスキャナヘッド２０４に読み取られる。
【００５２】
ここで、原稿台２０２に載置する電子ペーパ端末１の向きによっては、表示パネル３に対するスキャナヘッド２０４の走査方向が異なる。例えば、図１１に示すように、スキャナヘッド２０４の走査開始となる基準位置側に、電子ペーパ端末１の下枠部位５１を合わせて載置した場合、表示パネル３は、スキャナヘッド２０４によって「下側から上側」に向かって走査される。また、スキャナヘッド２０４の走査開始となる基準位置側に、電子ペーパ端末１の上枠部位５４を合わせて載置した場合、表示パネル３は、スキャナヘッド２０４によって「上側から下側」に向かって走査される。
【００５３】
また、スキャナヘッド２０４の走査開始となる基準位置側に、電子ペーパ端末１の右枠部位５２を合わせて載置した場合、表示パネル３は、スキャナヘッド２０４によって「右側から左側」に向かって走査される。また、スキャナヘッド２０４の走査開始となる基準位置側に、電子ペーパ端末１の左枠部位５３を合わせて載置した場合、表示パネル３は、スキャナヘッド２０４によって「左側から右側」に向かって走査される。
【００５４】
そこで、表示パネル３に対するスキャナヘッド２０４の走査方向を特定するために、本実施形態では、表示枠５の各枠部位に設けられた第１光センサ１１，１３，１５，１７を利用する。つまり、表示枠５の各枠部位に設けられた第１光センサ１１，１３，１５，１７のうち、どの第１光センサがスキャナヘッド２０４のスキャナ光を検出したかでその走査方向を特定できる。ここで特定した走査方向は、ＲＡＭ１０３の走査方向記憶エリア１３６（図４参照）に記憶される。
【００５５】
例えば、第１光センサ１１がスキャナ光を検出した場合は、表示パネル３に対するスキャナヘッド２０４の走査方向は「下側から上側」である。第１光センサ１３がスキャナ光を検出した場合は、表示パネル３に対するスキャナヘッド２０４の走査方向は「右側から左側」である。第１光センサ１５がスキャナ光を検出した場合は、表示パネル３に対するスキャナヘッド２０４の走査方向は「左側から右側」である。第１光センサ１７がスキャナ光を検出した場合は、表示パネル３に対するスキャナヘッド２０４の走査方向は「上側から下側」である。
【００５６】
そして、スキャナヘッド２０４の走査方向を特定することで、表示枠５におけるどの枠部位の第１距離ｄ１、第２距離ｄ２を使えばよいかを決定することができる。つまり、第１光センサ１１，１３，１５，１７のうち、どの第１光センサがスキャナ光を検出したかで、表示パネル３に対するスキャナヘッド２０４の走査方向を特定できる。そして、その走査方向に基づき、ＥＥＰＲＯＭ１０４に記憶された第１距離テーブル２１１１から、スキャナ光を検出した第１光センサの各センサＩＤに対応する第１距離ｄ１を取得できる。
【００５７】
ところで、表示パネル３に対するスキャナヘッド２０４の走査方向は、第２光センサ１２，１４，１６，１８でも特定できる。つまり、第２光センサ１２がスキャナ光を検出した場合は、表示パネル３に対するスキャナヘッド２０４の走査方向は「下側から上側」である。第２光センサ１４がスキャナ光を検出した場合は、表示パネル３に対するスキャナヘッド２０４の走査方向は「右側から左側」である。第２光センサ１６がスキャナ光を検出した場合は、表示パネル３に対するスキャナヘッド２０４の走査方向は「左側から右側」である。第２光センサ１８がスキャナ光を検出した場合は、表示パネル３に対するスキャナヘッド２０４の走査方向は「上側から下側」である。
【００５８】
そこで、本実施形態では、スキャナ光を検出した第１光センサで特定される走査方向と、第２光センサで特定される走査方向とを比較して一致した場合を正常とし、一致しない場合を異常と判断する。一致しない場合として、例えば、スキャン中に電子ペーパ端末１の向きが変えられたこと等が考えられる。
【００５９】
次に、上記構成からなる電子ペーパ端末１のＣＰＵ１０１による画像読取処理について、図１２乃至図１４のフローチャートを参照して説明する。まず、図１２に示すように、計時装置１１１によって計時される時刻が初期化される（Ｓ１）。次いで、使用者が操作部１０８の多機能ボタン６（図２参照）を使ってスキャナモードに移行したか否かが判断される（Ｓ２）。スキャナモードに移行されない間は（Ｓ２：ＮＯ）、Ｓ２に戻って待機状態となる。
【００６０】
そして、スキャナモードに移行した場合（Ｓ２：ＹＥＳ）、使用者は、コピー機２の原稿台２０２に電子ペーパ端末１の表示パネル３（図１参照）が下になるように設置し、スタートボタン２０３を押す。すると、コピー機２のスキャナヘッド２０４による走査が開始される。そこで、第１光センサ１１，１３，１５，１７のうちの何れかの第１光センサがスキャナ光を検出したか否かが判断される（Ｓ３）。第１光センサがスキャナ光を検出するまでは（Ｓ３：ＮＯ）、Ｓ３に戻って待機状態となる。
【００６１】
さらに、第１光センサ１１，１３，１５，１７のうちの何れかの第１光センサがスキャナ光を検出した場合（Ｓ３：ＹＥＳ）、これからスキャナに読み取らせるコンテンツ画像が最初のページか否かが判断される（Ｓ４）。ここでは、ＲＡＭ１０３の読取枚数記憶エリア１３４（図４参照）に記憶された枚数に基づき判断される。例えば、読み取り枚数が「０」の場合、スキャナに読み取らせる最初のページであるので（Ｓ４：ＹＥＳ）、第１光センサがスキャナ光を検出した時刻ｔ１と、表示パネル３に対するスキャナヘッド２０４の走査方向とが記憶される（Ｓ５）。ここでのスキャナヘッド２０４の走査方向は、上述したように、どの第１光センサでスキャナ光を検出したかで特定される。第１光センサがスキャナ光を検出した時刻ｔ１は、ＲＡＭ１０３のスキャナ光検出時刻記憶エリア１３５（図４参照）に記憶される。走査方向は、ＲＡＭ１３の走査方向記憶エリア１３６（図４参照）に記憶される。
【００６２】
続いて、第２光センサ１２，１４，１６，１８のうちの何れかの第２光センサがスキャナ光を検出したか否かが判断される（Ｓ６）。第２光センサがスキャナ光を検出するまでは（Ｓ６：ＮＯ）、Ｓ６に戻って待機状態となる。第２光センサ１２，１４，１６，１８のうちの何れかの第２光センサがスキャナ光を検出した場合（Ｓ６：ＹＥＳ）、第２光センサがスキャナ光を検出した時刻ｔ２と、表示パネル３に対するスキャナヘッド２０４の走査方向とが記憶される（Ｓ７）。ここでのスキャナヘッド２０４の走査方向は、上述したように、どの第２光センサでスキャナ光を検出したかで特定される。第２光センサがスキャナ光を検出した時刻ｔ２は、ＲＡＭ１０３のスキャナ光検出時刻記憶エリア１３５（図４参照）に記憶される。走査方向は、ＲＡＭ１３の走査方向記憶エリア１３６（図４参照）に記憶される。
【００６３】
次いで、図１３に示すように、第１光センサによるスキャナ光の検出によって特定された走査方向と、第２光センサによるスキャナ光の検出によって特定された走査方向とが一致するか否かが判断される（Ｓ１０）。これらの走査方向は、ＲＡＭ１３の走査方向記憶エリア１３６に何れも記憶されたものである。走査方向が一致した場合（Ｓ１０：ＹＥＳ）、スキャナヘッド２０４の速度ｖを算出するために、第１光センサから第２光センサまでにかかった時間Ｔ１が算出される（Ｓ１１）。ここでは、ＲＡＭ１０３のスキャナ光検出時刻記憶エリア１３５に記憶された時刻ｔ２から時刻ｔ１を差し引くことで、時間Ｔ１が算出される。
【００６４】
さらに、スキャナヘッド２０４の速度ｖを求めるために、まず、上述の方法によって特定された走査方向に基づき、ＥＥＰＲＯＭ１０４に記憶された第１距離テーブル２１１１（図６参照）から第１距離ｄ１が取得される。ここでは、スキャナ光を検出した第１光センサのセンサＩＤに対応する第１距離ｄ１が取得される。ここで取得された第１距離ｄ１と、算出された時間Ｔ１とから、スキャナヘッド２０４の速度ｖが算出され、その算出された速度ｖがＲＡＭ１０３の速度記憶エリア１３１（図４参照）に記憶される（Ｓ１２）。
【００６５】
続いて、使用者によってスキャナモードが終了されたか否かが判断される（Ｓ１３）。スキャナモードが終了された場合は（Ｓ１３：ＹＥＳ）、そのまま処理を終了する。引き続きスキャナモードが続いている場合（Ｓ１３：ＮＯ）、図１２に戻り、コピー機２のスキャナによる次の読み取り動作に対して待機状態となる。この間、コピー機２では、スキャナヘッド２０４による最初のページの読み取り動作が終了し、次ページの読み取りを行うために、スキャナヘッド２０４が基準位置に戻る。このとき、ＲＡＭ１０３の読取枚数記憶エリア１３４（図４参照）に記憶された読み取り枚数に１加算される。
【００６６】
そして、スキャナモードが続いている状態で（Ｓ２：ＹＥＳ）、スキャナヘッド２０４による走査が開始され、第１光センサ１１，１３，１５，１７のうちの何れかの第１光センサがスキャナ光を検出したか否かが判断される（Ｓ３）。第１光センサ１１，１３，１５，１７のうちの何れかがスキャナ光を検出した場合（Ｓ３：ＹＥＳ）、これからスキャナに読み取らせるコンテンツ画像が最初のページか否かが判断される（Ｓ４）。
【００６７】
ここで、ＲＡＭ１０３の読取枚数記憶エリア１３４には、読取枚数＝１が記憶され、最初のページではないから（Ｓ４：ＮＯ）、図１４に示すように、スキャナ光を検出した第１光センサの場所からスキャナヘッド２０４の走査方向が特定され、ＲＡＭ１０３の走査方向が記憶される（Ｓ２１）。さらに、その特定された走査方向において、第１距離ｄ１と、第２距離ｄ２とがそれぞれ取得される。そして、その取得された第１距離ｄ１に第２距離ｄ２を足すことで、特定された走査方向における第１光センサから表示パネル３までの第３距離ｄ３が算出される（Ｓ２２）。
【００６８】
次いで、表示パネル３までの到達時間Ｔ２が算出される（Ｓ２３）。到達時間Ｔ２は、算出された第３距離ｄ３と、ＲＡＭ１０３の速度記憶エリア１３１に記憶された速度ｖとから算出される。そして、その算出された到達時間Ｔ２より、最長のパネル書換時間が取得される（Ｓ２６）。ここでは、ＥＥＰＲＯＭ２０４に記憶された設定時間テーブル２１３１（図８参照）に基づき、到達時間Ｔ２から設定可能なパネル書換時間が取得される（Ｓ２４）。
【００６９】
例えば、到達時間Ｔ２＝３秒であった場合を一例に説明する。パネル書換時間は、設定時間テーブル２１３１（図８参照）を参照して決定される。具体的には、到達時間Ｔ２よりも短く、かつ設定時間テーブル２１３１に設定された複数の設定時間の中で最も長い設定時間が「パネル書換時間」として取得される。パネル書変時間を短縮すればするほど消費電力は大きくなるが、本実施形態では、パネル書換時間が最も長くなるように設定できるので消費電力を低減できる。本実施例では、設定時間ＩＤ＝３の設定時間＝１秒が取得される。
【００７０】
ここで設定されたパネル書換時間が設定時間内であるか否かが判断される（Ｓ２５）。パネル書換時間が設定時間内でなかった場合（Ｓ２５：ＮＯ）、図１３に戻って、異常処理が行われる（Ｓ１４）。異常処理では、表示パネル３に異常である旨を報知するエラーメッセージが表示される。
【００７１】
パネル書換時間が設定時間内であった場合（Ｓ２５：ＹＥＳ）、その取得されたパネル書換時間が設定される（Ｓ２６）。そして、第１光センサがスキャナ光を検出してから設定されたパネル書換時間が経過したときに、表示パネル３に次ページのコンテンツ画像を表示させる（Ｓ２７）。つまり、スキャナヘッド２０４が第１光センサを検出してからパネル書換時間を経過したときに表示パネル３の画像が更新される。これにより、スキャナヘッド２０４が表示パネル３に到達する前に、表示パネル３に表示されたコンテンツ画像を確実に書き換えることができる。よって、スキャナ中に画像が更新されることがないので、複数の画像を確実に取り込むことができる。
【００７２】
その後、図１３に戻り、使用者によってスキャナモードが終了されたか否かが判断される（Ｓ１３）。取り込むべきコンテンツ画像が全て表示され、スキャナモードが終了された場合（Ｓ１３：ＹＥＳ）、そのまま処理を終了する。スキャナモードが持続されている場合は（Ｓ１３：ＮＯ）、図１２のＳ２に戻り、スキャナモードが終了するまで処理が繰り返される。
【００７３】
以上説明したように、第１実施形態の電子ペーパ端末１では、コンテンツ画像をコピー機２で複数枚取り込む場合に、コピー機２の原稿台２０２に載せてスキャナに順次読み取らせる。スキャナヘッド２０４のスキャナ光は、異なる２点に設けられた第１光センサ及び第２光センサで検出される。それらの検出時刻と、第１光センサと第２光センサとの第１距離ｄ１とから、スキャナヘッド２０４の速度ｖが算出される。算出された速度ｖに基づき、次ページ以降、第１光センサでスキャナ光が検出されてから表示パネル３に到達するまでの時間が算出される。そして、その算出された到達時間よりも短いパネル書換時間が設定される。これにより、スキャナヘッド２０４が表示パネル３に到達する前に、表示パネル３に表示されたコンテンツ画像を確実に書き換えることができる。よって、コンテンツ画像を更新するための操作が不要となるので、複数のコンテンツ画像を容易に読み取ることができる。また、スキャナ中に画像が更新されることがないので、複数の画像を失敗することなく確実に取り込むことができる。
【００７４】
次に、本発明の第２実施形態である画像読み取りシステム５００について、図１５乃至図２０を参照して説明する。図１５に示すように、画像読み取りシステム５００は、電子ペーパ端末４００と、コピー機２とからなるシステムである。第２実施形態でも、第１実施形態と同様に、電子ペーパ端末４００の画像をコピー機２で複数ページ複写する場合を想定する。本システムでは、コピー機２側でスキャナヘッド２０４の発光素子の周波数にスキャナヘッド２０４の速度情報を埋め込み、電子ペーパ端末４００側でそのスキャナ光の周波数を検出して、スキャナヘッド２０４の速度を取得する点に特徴がある。なお、電子ペーパ端末４００は、第１実施形態の電子ペーパ端末１の変形例であるので、共通する構造、電気的構成部分は、第１実施形態と同符号を付して説明する。
【００７５】
まず、電子ペーパ端末４００の構造について、図１６を参照して説明する。電子ペーパ端末４００は、第１実施形態と同様の構造を備えるが、表示枠５に設けられる光センサの数が異なる。電子ペーパ端末４００の表示枠５には、４つの光センサが設けられている。具体的に説明すると、下枠部位５１の長手方向略中央には、第１光センサ７１が設けられている。右枠部位５２の長手方向略中央には、第２光センサ７２が設けられている。左枠部位５３の長手方向略中央には、第３光センサ７３が設けられている。上枠部位５４の長手方向略中央には、第４光センサ７４が設けられている。つまり、各枠部位に光センサが一個ずつ設けられている。
【００７６】
次に、電子ペーパ端末４００の電気的構成について、図１７を参照して説明する。電子ペーパ端末４００は、電子ペーパ端末４００の全体の制御を司るＣＰＵ４０１を備えている。ＣＰＵ４０１には、ＲＯＭ４０２、ＲＡＭ４０３、ＥＥＰＲＯＭ４０４、表示制御部１０５、操作制御部１０７、計時装置１１１、記録媒体読込部１１２等が、バス１１５を介して接続されている。さらに、ＣＰＵ４０１には、上述した第１光センサ７１、第２光センサ７２、第３光センサ７３、第４光センサ７４がバス１１５を介して接続されている。
【００７７】
なお、ＲＡＭ４０３には、図示しないが、第１実施形態と同様の速度記憶エリア、到達時間記憶エリア、読取枚数記憶エリア、スキャナ光検出時刻記憶エリア、走査方向記憶エリア等が設けられている。ＥＥＰＲＯＭ４０４には、第１実施形態と同様の距離テーブル記憶エリア、設定時間テーブル記憶エリア等が設けられている。距離テーブル記憶エリアには、距離テーブル（図示外）が記憶されている。距離テーブルは、光センサから表示パネル３までの距離が記憶されている。距離テーブルでは、第１実施形態の第１距離テーブル２１１１（図６参照）と同様に、光センサを識別するセンサＩＤに対して、光センサ７１〜７４が対応づけられ、光センサから表示パネル３までの距離が各々記憶されている。設定時間テーブル記憶エリアには、第１実施形態と同様の設定時間テーブル２１３１が記憶されている（図８参照）。
【００７８】
次に、コピー機２の電気的構成について、図１８を参照して説明する。コピー機２は、コピー機２の全体の制御を司るＣＰＵ３０１を備えている。ＣＰＵ３０１には、ＲＯＭ３０２、ＲＡＭ３０３、ハードディスクドライブ（ＨＤＤ）３０４、操作制御部３０７、計時装置３０８、スタートボタン２０３、ヘッド駆動回路３１０、複写部３１１等が、バス１１５を介して接続されている。
【００７９】
操作制御部３０７には、操作パネル２０９が接続されている。操作パネル２０９は、図１５に示すように、タッチパネルである。即ち、操作パネル２０９に表示される設定メニューや、各種ボタン等を押下して決定することで、各種設定、操作等が可能である。ヘッド駆動回路３１０には、スキャナヘッド２０４が接続されている。ヘッド駆動回路３１０は、スキャナヘッド２０４の移動制御を行うと共に、スキャナヘッド２０４の発光素子の周波数の制御を行う。複写部３１１は、スキャナヘッド２０４で読み取られた画像を記録媒体に複写する装置である。
【００８０】
次に、上記構成からなる画像読み取りシステム５００における画像読取処理について、図１９，図２０のフローチャートを参照して説明する。なお、本処理は、電子ペーパ端末４００側の処理と、コピー機２側の処理とが連携することで行われる。以下、各処理について順に説明する。
【００８１】
コピー機２のＣＰＵ３０１によって実行される画像読み取り処理について、図１９のフローチャートを参照して説明する。まず、計時装置３０８によって計時される時刻が初期化される（Ｓ４１）。次いで、使用者が操作パネル２０９（図１５参照）を使ってスキャナモードに移行したか否かが判断される（Ｓ４２）。スキャナモードに移行されない間は（Ｓ４２：ＮＯ）、Ｓ４２に戻って待機状態となる。
【００８２】
一方、スキャナモードに移行した場合（Ｓ４２：ＹＥＳ）、使用者は、コピー機２の原稿台２０２に電子ペーパ端末４００の表示パネル３（図１６参照）が下になるように設置し、スタートボタン２０３を押す。ここでは、コピー機２のスキャナヘッド２０４による走査が開始されたか否かが判断される（Ｓ４３）。スタートボタン２０３が押されず、スキャナヘッド２０４による走査が開始されない間は、Ｓ４３に戻って待機状態となる。
【００８３】
そして、スキャナヘッド２０４による走査が開始された場合（Ｓ４３：ＹＥＳ）、スキャナヘッド２０４の発光素子による光出力が開始される（Ｓ４４）。さらに、スキャナヘッド２０４の移動速度に対応する発光素子の周波数が設定され、その周波数で発光素子が発光される（Ｓ４５）。なお、スキャナヘッド２０４の移動速度と、それに対応する発光素子の周波数とは、コピー機２のＨＤＤ３０４に記憶されている。そして、そのスキャナ光に埋め込んだ移動速度でスキャナヘッド２０４が移動される（Ｓ４６）。こうして、電子ペーパ端末４００の表示パネル３に表示された１枚のコンテンツ画像がスキャンされる（Ｓ４７）。
【００８４】
次いで、１枚のコンテンツ画像のスキャンが終了すると、スキャナヘッド２０４の発光が停止され（Ｓ４８）、スキャナヘッド２０４が基準位置に戻される（Ｓ４９）。そして、使用者によってスキャナモードが終了されたか否かが判断される（Ｓ５０）。スキャナモードが終了された場合は（Ｓ５０：ＹＥＳ）、そのまま処理を終了する。引き続きスキャナモードが続いている場合（Ｓ５０：ＮＯ）、Ｓ４２に戻って処理が繰り返される。
【００８５】
次に、電子ペーパ端末４００のＣＰＵ４０１による画像読取処理について、図２０のフローチャートを参照して説明する。まず、計時装置１１１によって計時される時刻が初期化される（Ｓ６１）。次いで、使用者が操作部１０８の多機能ボタン６（図１６参照）を使ってスキャナモードに移行したか否かが判断される（Ｓ６２）。スキャナモードに移行されない間は（Ｓ６２：ＮＯ）、Ｓ６２に戻って待機状態となる。
【００８６】
次いで、光センサ７１〜７４のうちの何れかがスキャナ光を検出したか否かが判断される（Ｓ６３）。どの光センサもスキャナ光を検出しない間は（Ｓ６３：ＮＯ）、Ｓ６３に戻って待機状態となる。光センサ７１〜７４のうち何れかがスキャナ光を検出した場合（Ｓ６３：ＹＥＳ）、そのスキャナ光の周波数からスキャナヘッド２０４の移動速度が取得される（Ｓ６４）。取得されたスキャナヘッド２０４の移動速度は、ＲＡＭ４０３の速度記憶エリアに記憶される。
【００８７】
さらに、光センサのスキャナ光を検出した時刻ｔ３と、表示パネル３に対するスキャナヘッド２０４の走査方向とが記憶される（Ｓ６５）。ここでのスキャナヘッド２０４の走査方向は、上述したように、どの光センサでスキャナ光を検出したかで特定される。光センサがスキャナ光を検出した時刻ｔ３は、ＲＡＭ４０３のスキャナ光検出時刻記憶エリアに記憶される。走査方向は、ＲＡＭ４０３の走査方向記憶エリアに記憶される。
【００８８】
次いで、その特定された走査方向において、光センサから表示パネル３までの距離ｄ４が、ＲＡＭ４０３に記憶された距離テーブルの中から取得される（Ｓ６６）。そして、取得されたｄ４と、ＲＡＭ４０３の速度記憶エリアに記憶された速度とから、表示パネル３までの到達時間Ｔ２が算出される（Ｓ６７）。そして、その算出された到達時間Ｔ２より、最長のパネル書換時間が取得される（Ｓ６８）。ここでは、ＥＥＰＲＯＭ４０４に記憶された設定時間テーブル２１３１（図８参照）に基づき、到達時間Ｔ２から設定可能なパネル書換時間が取得される。なお、パネル書換時間の取得方法は、上述した通りである。そして、取得されたパネル書換時間が設定される（Ｓ６９）。
【００８９】
続いて、これからスキャナに読み取らせるコンテンツ画像が最初のページか否かが判断される（Ｓ７０）。ここでは、ＲＡＭ４０３の読取枚数記憶エリアに記憶された枚数に基づき判断される。最初のページであった場合（Ｓ７０：ＹＥＳ）、使用者によってスキャナモードが終了されたか否かが判断される（Ｓ７２）。スキャナモードが終了された場合は（Ｓ７２：ＹＥＳ）、そのまま処理を終了する。スキャナモードがまだ終了されていない場合（Ｓ７２：ＮＯ）、Ｓ６２に戻って処理が繰り返される。
【００９０】
一方、２ページ目以降であった場合（Ｓ７０：ＮＯ）、光センサがスキャナ光を検出してから設定されたパネル書換時間が経過したときに、表示パネル３に次ページのコンテンツ画像を表示させる（Ｓ７１）。つまり、スキャナヘッド２０４が第１光センサを検出してからパネル書換時間を経過したときに表示パネル３の画像が更新される。これにより、スキャナヘッド２０４が表示パネル３に到達する前に、表示パネル３に表示されたコンテンツ画像を確実に書き換えることができる。よって、コンテンツ画像を更新するための操作が不要となるので、複数のコンテンツ画像を容易に読み取ることができる。また、スキャナ中に画像が更新されることがないので、複数の画像を確実に取り込むことができる。
【００９１】
以上説明したように、第２実施形態である画像読み取りシステム５００では、コピー機２側でスキャナヘッド２０４の発光素子の周波数にスキャナヘッド２０４の速度情報を埋め込み、電子ペーパ端末４００側でそのスキャナ光の周波数を検出して、スキャナヘッド２０４の速度を取得する。電子ペーパ端末４００側では、その取得されたスキャナヘッド２０４の速度に基づき、表示パネル３までの到達時間を算出し、第１実施形態と同様にパネル書換時間を設定する。これにより、第１実施形態と同様の効果を得ることができる。そして、第１実施形態と比べて、光センサの数が少なくて済むのでコストを節約できる。
【００９２】
なお、本発明は、上記第１，第２実施形態に限らず、種々の変更が可能である。例えば
第１実施形態では、電子ペーパ端末１の表示枠５には、各枠部位に一対の第１光センサおよび第２光センサを設けている。つまり、スキャナヘッド２０４の走査方向において互いに異なる２地点に、第１光センサと第２光センサとを設けることで、スキャナヘッド２０４の速度を算出できるからである。そこで、例えば、図２１に示す変形例である電子ペーパ端末６００のように、光センサの配置を変えることで、第１実施形態で８個あったのを４個に減らすことができる。
【００９３】
図２１に示すように、電子ペーパ端末６００は、第１実施形態の電子ペーパ端末１と同様に、表示パネル３、表示枠５、多機能ボタン６、送りボタン７、戻しボタン８等を備えている。表示枠５は、表示枠５は、平面視帯状の下枠部位５１、右枠部位５２、左枠部位５３および上枠部位５４からなる。
【００９４】
表示枠５には、コピー機２のスキャナヘッド２０４が発するスキャナ光を検出するための４つの光センサ８１〜８４が設けられている。具体的に説明すると、下枠部位５１と右枠部位５２とが交わる角部には、光センサ８１が配置されている。右枠部位５２と上枠部位５４とが交わる角部には、光センサ８２が配置されている。上枠部位５４と左枠部位５３とが交わる角部には、光センサ８３が配置されている。下枠部位５１と左枠部位５３とが交わる角部には、光センサ８４が配置されている。
【００９５】
そして、下枠部位５１では、光センサ８１および光センサ８４は、表示枠５の上下方向において離間している。つまり、光センサ８１の方が光センサ８４よりも下端側に配置されている。上枠部位５４では、光センサ８２および光センサ８３は、表示枠５の上下方向において離間している。つまり、光センサ８３の方が光センサ８３よりも上端側に配置されている。右枠部位５２では、光センサ８１および光センサ８２は、表示枠５の左右方向において離間している。つまり、光センサ８１の方が光センサ８２よりも右端側に配置されている。左枠部位５３では、光センサ８３および光センサ８４は、表示枠５の左右方向において離間している。つまり、光センサ８３の方が光センサ８４よりも左端側に配置されている。
【００９６】
上記構成からなる電子ペーパ端末６００の画像を、図１に示すコピー機２で取り込む場合、コピー機２のスキャナの原稿台２０２に電子ペーパ端末６００の表示パネル３が下になるように設置し、スタートボタン２０３を押す。すると、コピー機２のスキャナヘッド２０４（図１０参照）が走査を開始する。
【００９７】
ここで、原稿台２０２に載置する電子ペーパ端末６００の向きによっては、表示パネル３に対するスキャナヘッド２０４の走査方向が異なる。例えば、スキャナヘッド２０４の走査開始となる基準位置側に、電子ペーパ端末６００の下枠部位５１を合わせて載置した場合、表示パネル３は、スキャナヘッド２０４によって「下側から上側」に向かって走査される。この場合は、光センサ８１，８４によってスキャナヘッド２０４のスキャナ光が検出される。そして、光センサ８１，８４、表示パネル３において第１距離ｄ１、第２距離ｄ２が規定される。
【００９８】
また、スキャナヘッド２０４の走査開始となる基準位置側に、電子ペーパ端末６００の上枠部位５４を合わせて載置した場合、表示パネル３は、スキャナヘッド２０４によって「上側から下側」に向かって走査される。この場合は、光センサ８３，８２によってスキャナヘッド２０４のスキャナ光が検出される。そして、光センサ８３，８２、表示パネル３において第１距離ｄ１、第２距離ｄ２が規定される。
【００９９】
また、スキャナヘッド２０４の走査開始となる基準位置側に、電子ペーパ端末１の右枠部位５２を合わせて載置した場合、表示パネル３は、スキャナヘッド２０４によって「右側から左側」に向かって走査される。この場合は、光センサ８１，８２によってスキャナヘッド２０４のスキャナ光が検出される。そして、光センサ８１，８２、表示パネル３において第１距離ｄ１、第２距離ｄ２が規定される。
【０１００】
また、スキャナヘッド２０４の走査開始となる基準位置側に、電子ペーパ端末１の左枠部位５３を合わせて載置した場合、表示パネル３は、スキャナヘッド２０４によって「左側から右側」に向かって走査される。この場合は、光センサ８３，８４によってスキャナヘッド２０４のスキャナ光が検出される。そして、光センサ８３，８４、表示パネル３において第１距離ｄ１、第２距離ｄ２が規定される。
【０１０１】
このように、４つの光センサ８１〜８４を図２１に示すような配置にすることで、第１実施形態の電子ペーパ端末１と同様に、異なる２点においてスキャナヘッド２０４のスキャナ光を検出でき、その検出時刻から異なる２点間の移動にかかった時間を算出できる。そして、その算出時間からスキャナヘッド２０４の移動速度を算出できる。
【０１０２】
また、上述の変形例の他に、第１実施形態、第２実施形態における電子ペーパ端末１，４００では、表示パネル３は平面視長方形状であるが、これ以外の形状であってもよい。
【０１０３】
さらに、第２実施形態の画像読み取りシステム５００では、コピー機２において、スキャナヘッド２０４のスキャナ光の周波数を調整することで、スキャナヘッド２０４の速度情報を埋め込んでいるが、例えば、スキャナ光の点滅周期を調整することで、スキャナヘッド２０４の速度情報を埋め込んでもよい。
【０１０４】
なお、以上説明において、図１に示す表示パネル３が本発明の「表示面」に相当し、第１光センサ１１，１３，１５，１７が本発明の「第１検出手段」に相当し、第２光センサ１２，１４，１６，１８が本発明の「第２検出手段」に相当し、操作部１０８が本発明の「スキャナモード移行指示手段」に相当する。図３に示すＲＡＭ１３が本発明の「移動速度記憶手段」に相当し、ＥＥＰＲＯＭ１０４に記憶された第２距離テーブル２１２１が本発明の「第２距離記憶手段」に相当し、ＥＥＰＲＯＭ１０４に記憶された設定時間テーブル２１３１が本発明の「設定可能時間記憶手段」に相当する。図１２に示すＳ３の処理を実行するＣＰＵ１０１が本発明の「スキャナ光検出特定手段」に相当し、図１３に示すＳ１１の処理を実行するＣＰＵ１０１が本発明の「計測手段」に相当し、Ｓ１２の処理を実行するＣＰＵ１０１が本発明の「速度算出手段」に相当し、図１４に示すＳ２２の処理を実行するＣＰＵ１０１が本発明の「第２距離手段」に相当し、図１４に示すＳ２４〜２６の処理を実行するＣＰＵ１０１が本発明の「書き換え時間手段」に相当する。
【０１０５】
図１５に示すコピー機２が本発明の「画像読取装置」に相当し、原稿台２０２が本発明の「読み取り面」に相当する。電子ペーパ端末４００の光センサ８１〜８４が本発明の「第３検出手段」に相当する。図１９に示すＳ４５の処理を実行するＣＰＵ３０１が本発明の「スキャナ光設定手段」に相当する。図２０に示すＳ６７の処理を実行するＣＰＵ４０１が本発明の「到達時間設定手段」に相当し、Ｓ６９の処理を実行するＣＰＵ４０１が本発明の「書き換え時間手段」に相当し、Ｓ７１の処理を実行するＣＰＵ４０１が本発明の「書き換え制御手段」に相当する。
【符号の説明】
【０１０６】
１，４００，６００    電子ペーパ端末
２                    コピー機
３                    表示パネル
５                    表示枠
１１，１３，１５，１７  第１光センサ
１２，１４，１６，１８  第２光センサ
５１                    下枠部位
５２                    右枠部位
５３                    左枠部位
５４                    上枠部位
７１〜７４              光センサ
８１〜８４              光センサ
１０１                  ＣＰＵ
１０３                  ＲＡＭ
１０４                  ＥＥＰＲＯＭ
１０８                  操作部
２０２                  原稿台
２０４                  スキャナヘッド
３０１                  ＣＰＵ
３０３                  ＲＡＭ
４０１                  ＣＰＵ
５００                  画像読み取りシステム
【図１】
2010199933.tif 000003
【図２】
2010199933.tif 000004
【図３】
2010199933.tif 000005
【図４】
2010199933.tif 000006
【図５】
2010199933.tif 000007
【図６】
2010199933.tif 000008
【図７】
2010199933.tif 000009
【図８】
2010199933.tif 000010
【図９】
2010199933.tif 000011
【図１０】
2010199933.tif 000012
【図１１】
2010199933.tif 000013
【図１２】
2010199933.tif 000014
【図１３】
2010199933.tif 000015
【図１４】
2010199933.tif 000016
【図１５】
2010199933.tif 000017
【図１６】
2010199933.tif 000018
【図１７】
2010199933.tif 000019
【図１８】
2010199933.tif 000020
【図１９】
2010199933.tif 000021
【図２０】
2010199933.tif 000022
【図２１】
2010199933.tif 000023